(57)【要約】【課題】取っ手を移動框の畳み込み方向に引く力を、移動框に対し取っ手を回動させる力に効率よく変換して、移動框を軽微な操作力で壁面から引き離し可能とする間仕切り装置の開閉装置を提供する。【解決手段】ハンガーレールに沿って移動可能に支持した間仕切り部材の端部に移動框３を取着し、移動框３をハンガーレールに沿って移動させることにより間仕切り部材の引き出し操作及び畳み込み操作を可能とし、間仕切り部材を引き出したとき移動框３をその対向面に保持する吸着手段を備え、移動框３に取着した取っ手６には該取っ手６の回動操作により吸着手段の吸着を解除する吸着解除手段１１ａ，１１ｂを備えた間仕切り装置において、取っ手６の把持部１２を該取っ手に回転可能に支持した。【選択図】図３
2008075302.tif 000002
【特許請求の範囲】
【請求項１】
ハンガーレールに沿って移動可能に支持した間仕切り部材の端部に移動框を取着し、前記移動框を前記ハンガーレールに沿って移動させることにより間仕切り部材の引き出し操作及び畳み込み操作を可能とし、前記間仕切り部材を引き出したとき前記移動框をその対向面に保持する吸着手段を備え、前記移動框に取着した取っ手には該取っ手の回動操作により前記吸着手段の吸着を解除する吸着解除手段を備えた間仕切り装置において、
前記取っ手の把持部を該取っ手に回転可能に支持したことを特徴とする間仕切り装置の開閉装置。
【請求項２】
前記把持部は、前記取っ手と一体の中軸の周囲に管状の外軸を回転可能に支持したことを特徴とする請求項１記載の間仕切り装置の開閉装置。
【請求項３】
前記把持部は、前記取っ手に設けた支軸に回転可能に支持したことを特徴とする請求項２記載の間仕切り装置の開閉装置。
【請求項４】
前記把持部と取っ手には、該把持部の所定角度の範囲で回動可能とするガイド手段と、前記把持部を回動範囲内の原位置に向かって付勢する付勢手段を備えたことを特徴とする請求項３記載の間仕切り装置の開閉装置。
【請求項５】
前記把持部には、握り位置を案内する凹凸を設けたことを特徴とする請求項３乃至４のいずれか１項に記載の間仕切り装置の開閉装置。
【発明の詳細な説明】
【技術分野】
【０００１】
この発明は、アコーデオンカーテンや折戸等の間仕切り装置の開閉装置に関するものである。
【背景技術】
【０００２】
アコーデオンカーテンは、蛇腹状に伸縮可能としたカーテン生地を壁面間で引き出し、あるいは一方の壁面側に畳み込んで、室内空間を適宜に区画するものである。このようなアコーデオンカーテンでは、移動框が壁面に当接するまでカーテン生地を引き出したとき、カーテン生地に作用する復元力により、移動框が後退して、壁面との間に隙間が生じる。
【０００３】
そこで、移動框と壁面にマグネットの吸着力を利用した固定装置が設けられ、移動框を壁面に当接するまで移動させれば、固定装置により移動框の後退を阻止して、カーテン生地を全閉状態に保持するようになっている。
【０００４】
このような固定装置を備えたアコーデオンカーテンでは、マグネットの吸着力を強くすると、移動框を壁面から引き離す際に大きな操作力が必要となる。一方、マグネットの吸着力を弱くすると、移動框を確実に保持することができない。そこで、十分な吸着力を確保しながら、移動框を壁面から容易に引き離し可能とすることが必要である。
【０００５】
そこで、移動框を操作する取っ手を移動框に対し回動可能とし、その取っ手を回動させて、壁面に向かって押圧部材を突出させることにより、移動框を壁面に対し回動させて固定装置の吸着を解除するようにした開閉装置が提案されている。
【０００６】
非特許文献１には、移動框に対し回動させることにより、壁面に対し押圧部材を突出させるようにした取っ手が開示されている。
【非特許文献１】登録意匠第１２６６５１５号公報
【特許文献１】特開平１１−６２３３０号公報
【発明の開示】
【発明が解決しようとする課題】
【０００７】
非特許文献１に記載された構成では、取っ手を移動框に対し回動させるとき、その本体部を把持し、掌の中で本体部を回動させながらカーテン生地の畳み込み方向に引く必要がある。
【０００８】
従って、本体部を強く握ると、同本体部を回動させにくくなる。そして、本体部が十分に回動されないと、マグネットを壁面から確実に引き離すことができず、マグネットの吸着力に抗して移動框を壁面から引き離すために要する操作力が増大する。
【０００９】
特許文献１には、握り部を回動自在としたドアハンドルが開示されているが、ドアハンドルを取付面に対し回動させて、押圧部材を突出させる構成は開示されていない。
この発明の目的は、取っ手を移動框の畳み込み方向に引く力を、移動框に対し取っ手を回動させる力に効率よく変換して、移動框を軽微な操作力で壁面から引き離し可能とする間仕切り装置の開閉装置を提供することにある。
【課題を解決するための手段】
【００１０】
請求項１では、ハンガーレールに沿って移動可能に支持した間仕切り部材の端部に移動框を取着し、前記移動框を前記ハンガーレールに沿って移動させることにより間仕切り部材の引き出し操作及び畳み込み操作を可能とし、前記間仕切り部材を引き出したとき前記移動框をその対向面に保持する吸着手段を備え、前記移動框に取着した取っ手には該取っ手の回動操作により前記吸着手段の吸着を解除する吸着解除手段を備えた間仕切り装置において、前記取っ手の把持部を該取っ手に回転可能に支持した。
【００１１】
請求項２では、前記把持部は、前記取っ手と一体の中軸の周囲に管状の外軸を回転可能に支持した。
請求項３では、前記把持部は、前記取っ手に設けた支軸に回転可能に支持した。
【００１２】
請求項４では、前記把持部と取っ手には、該把持部の所定角度の範囲で回動可能とするガイド手段と、前記把持部を回動範囲内の原位置に向かって付勢する付勢手段を備えた。
請求項５では、前記把持部には、握り位置を案内する凹凸を設けた。
【発明の効果】
【００１３】
本発明によれば、取っ手を移動框の畳み込み方向に引く力を、移動框に対し取っ手を回動させる力に効率よく変換して、移動框を軽微な操作力で壁面から引き離し可能とする間仕切り装置の開閉装置を提供することができる。
【発明を実施するための最良の形態】
【００１４】
（第一の実施の形態）
以下、この発明を具体化した間仕切り装置の一実施の形態を図面に従って説明する。図１に示すアコーデオンカーテンは、パンタグラフ状に伸縮する骨組み１の前後両側に表面材２が取着されて間仕切り部材が構成され、その骨組み１の一端の支軸１ａに移動框３が相対回動可能に取着され、他端の支軸１ｂに固定框４が相対回動可能に取着されている。
【００１５】
前記固定框４は壁面５に固定され、前記移動框３の前後両面における上下方向中央部には取っ手６が取着されている。
そして、前記骨組み１が複数のランナーを介してハンガーレール（図示しない）に移動可能に吊下支持され、取っ手６を操作することにより間仕切り部材をハンガーレールに沿って伸縮可能となっている。
【００１６】
図２及び図３に示すように、前記取っ手６はコ字状に形成され、その両端部が一対の支持ケース７に支軸７ａを回動支点として水平方向、すなわち前記移動框３の移動方向に沿って図４に示す状態から図５に示す状態までのほぼ４０度の範囲で回動可能に支持されている。前記支持ケース７は、前記移動框３の側面に前記取っ手６の上下方向の長さに相当する間隔を隔てて固定されている。
【００１７】
前記取っ手６の上方及び下方において、前記移動框３にはマグネット（吸着手段）８が取着され、そのマグネット８の前面は移動框３の前面に露出されている。また、移動框３の前面に対向する柱面（対向面）９上において、前記各マグネット８に対向する位置には、磁性材にてなる吸着板１０が取着されている。
【００１８】
そして、移動框３が柱面９近傍まで引き出されて、マグネット８が吸着板１０に当接すると、マグネット８が吸着板１０に吸着保持されるようになっている。
前記支持ケース７には、押圧部材（吸着解除手段）１１ａ，１１ｂが前記柱面９に向かって出没可能に支持されている。前記押圧部材１１ａ，１１ｂの基端部にはラック（図示しない）が刻設され、前記取っ手６の両端部にはラックに噛み合う歯車部（図示しない）が設けられている。そして、図４及び図５に示すように、取っ手６を回動させると、押圧部材１１ａ，１１ｂが支持ケース７から出没するようになっている。
【００１９】
前記取っ手６の中間部には、丸軸状の把持部１２が形成されている。その把持部１２は、取っ手６の上下両端部と一体に形成された中軸１３と、その中軸１３を覆う外軸１４とから構成される。そして、外軸１４は中軸に対し回転可能に嵌合されている。
【００２０】
次に、上記のように構成されたアコーデオンカーテンの動作を説明する。間仕切り部材を柱面９側に引き出すときには、取っ手６の把持部１２を把持して移動框３を柱面９方向に引き出す。このとき、取っ手６は図４に示す状態に位置し、押圧部材１１ａ，１１ｂは支持ケース７内に没入している。
【００２１】
そして、図１に示すように、移動框３を柱面９に当接するまで移動させると、マグネット８が吸着板１０に吸着して、間仕切り部材が全閉状態に保持される。
一方、図１に示す状態から、間仕切り部材を畳み込むために、移動框３を柱面９から引き離す場合には、取っ手６の把持部１２を間仕切り部材の畳み込み方向に引く。すると、図５に示すように、取っ手６が回動して押圧部材１１ａ，１１ｂが柱面９に向かって突出される。この結果、移動框３が柱面９に対し回動して、マグネット８が吸着板１０から引き離される。
【００２２】
このとき、把持部１２の外軸１４を強く把持していても、外軸１４は中軸１３に対し回転可能であるので、把持部１２を引く力により、取っ手６が図５に示す状態まで容易に回動される。
【００２３】
次いで、取っ手６をさらに同方向へ引くと、移動框３が畳み込み方向に移動して間仕切り部材が畳み込まれる。
上記のように構成されたアコーデオンカーテンでは、次に示す作用効果を得ることができる。
（１）取っ手６を操作することにより移動框３を移動させて、アコーデオンカーテンの間仕切り部材をハンガーレールに沿って引き出し、あるいは畳み込むことができる。
（２）移動框３に取着されたマグネット８を柱面９の吸着板１０に吸着させることができるので、間仕切り部材を全閉状態まで引き出したとき、移動框３を柱面９に密接する状態に保持して、間仕切り部材を全閉状態に保持することができる。
（３）移動框３が柱面９に密接する状態に保持されている状態から間仕切り部材を畳み込むとき、間仕切り部材の畳み込み方向への取っ手６の操作により、押圧部材１１ａ，１１ｂを柱面９に向かって突出させて、マグネット８を吸着板１０から引き離すことができる。従って、移動框３を柱面９から引き離し、次いで移動框３を間仕切り部材の畳み込み方向に移動させる操作を円滑に行うことができる。
（４）取っ手６の把持部１２は、外軸１４が中軸１３に対し回転可能であるので、取っ手６を畳み込み方向へ引けば、外軸１４が中軸１３に対し相対回転するので、把持部１２を掌の中で回転させる必要はなく、取っ手６を容易に回動させることができる。従って、移動框３を柱面９から引き離す操作を容易に行うことができる。
（第二の実施の形態）
図６及び図７は、第二の実施の形態を示す。この実施の形態は、把持部を握りやすい形状とするとともに、取っ手の回動操作後に把持部を原位置に復帰させる付勢手段を備えたものである。前記第一の実施の形態と同一構成部分は同一符号を付して説明する。
【００２４】
取っ手１５は、その上下両端部が第一の実施の形態と同様な支持ケース７に回転可能に支持され、各支持ケース７には押圧部材１１ａ，１１ｂが出没可能に支持されている。そして、取っ手１５を回動させることにより押圧部材１１ａ，１１ｂが出没するようになっている。
【００２５】
前記取っ手１５の中間部には把持部１６が設けられ、その把持部１６の背面には上下方向に複数段の凹凸１７が設けられて、握りやすい形状となっている。
前記把持部１６は、前記取っ手１５の上下両端部に回動可能に支持されている。すなわち、把持部１６の上下両端には支持孔１８がそれぞれ形成され、その支持孔１８に取っ手１５に形成された支軸１９が嵌挿されて、把持部１６は支軸１９に回動可能に支持されている。
【００２６】
前記把持部１６の下端面には、前記支持孔１８の周囲に形成された円形の収容溝２０が開口され、その収容溝２０内に捩りコイルスプリング（付勢手段）２１が収容されている。そして、捩りコイルスプリング２１の一端は把持部１６に係止され、他端は取っ手１５に係止されている。
【００２７】
また、前記把持部１６の下端面には、前記収容溝２０の外周側にガイド溝（ガイド手段）２２が形成され、そのガイド溝２２内に取っ手１５から延びるガイド軸（ガイド手段）２３が突出している。前記ガイド溝２２は、図７（ａ）に示すように、支軸１９の中心に対しほぼ４０度の範囲で円弧状に形成されている。
【００２８】
従って、図７（ａ）（ｂ）に示すように、把持部１６はガイド軸２３がガイド溝２２内を移動する範囲内で取っ手１５に対し回動可能であり、捩りコイルスプリング２１の付勢力により、同図（ａ）に示すように、常にはガイド軸２３がガイド溝２２の一端に位置している。
【００２９】
この状態から、図７（ｂ）に示すように把持部１６を回動させると、捩りコイルスプリング２１が蓄勢され、把持部１６を手放すと、捩りコイルスプリング２１の付勢力により把持部１６は図７（ａ）に示す状態に復帰するようになっている。
【００３０】
上記のような取っ手１５では、把持部１６が取っ手１５に対し回動可能であるので、第一の実施の形態と同様な作用効果を得ることができる。また、把持部１６には握り位置を案内する凹凸１７を設けたことにより、把持部１６を握りやすい。また、把持部１６を手放した後は、捩りコイルスプリング２１の付勢力により、把持部１６をその凹凸１７が把持部１６の背面側となる原位置に自動的に復帰させることができる。
【００３１】
上記実施の形態は、以下の態様で実施してもよい。
・上記各実施の形態の取っ手は、折戸に使用してもよい。
・第二の実施の形態の捩りコイルスプリング２１は、他の付勢手段としてもよい。
【図面の簡単な説明】
【００３２】
【図１】アコーデオンカーテンを示す平面図である。
【図２】第一の実施の形態の取っ手を示す正面図である。
【図３】第一の実施の形態の取っ手を示す側面図である。
【図４】第一の実施の形態の取っ手を示す平面図である。
【図５】第一の実施の形態の取っ手の動作を示す平面図である。
【図６】第二の実施の形態の取っ手を示す側面図である。
【図７】（ａ）（ｂ）は第二の実施の形態の把持部の動作を示す断面図である。
【符号の説明】
【００３３】
１…間仕切り部材（骨組み）、２…間仕切り部材（表面材）、３…移動框、６，１５…取っ手、１１ａ，１１ｂ…吸着解除手段（押圧部材）、１２，１６…把持部、１３…軸（中軸）、１９…軸（支軸）。
【図１】
2008075302.tif 000003
【図２】
2008075302.tif 000004
【図３】
2008075302.tif 000005
【図４】
2008075302.tif 000006
【図５】
2008075302.tif 000007
【図６】
2008075302.tif 000008
【図７】
2008075302.tif 000009